(57)【要約】【課題】本発明は、新規な構成の画素パターンに基づいて画素の拡大虚像を現出させることができ、ひいては趣向性の高い装飾表示体を提供することを目的とする。【解決手段】本装飾表示体１は、複数の凸レンズ状の集光素１１１ａを各集光素１１１ａの並びに方向性を持たせて配列ピッチｐで２次元的に配列してなる集光素パターン１１１が表面に形成された板状の透明素材１１と、複数の貫通孔１２１ａを各貫通孔１２１ａの並びに集光素パターン１１１と同じ方向性を持たせて配列ピッチｑで２次元的に配列してなる貫通孔パターン１２１が形成された不透明なシート状の貫通孔フィルタ１２とを備える。また、本装飾表示体１は、集光素パターン１１１と貫通孔パターン１２１が所定距離ｄを隔てて対向する態様で、透明素材１１と貫通孔フィルタ１２が配置されている。【選択図】図４
2014014987.tif 000002
【特許請求の範囲】
【請求項１】
複数の凸レンズ状の集光素を各集光素の並びに方向性を持たせて所定の配列ピッチで２次元的に配列してなる集光素パターンが表面に形成されたシート状または板状の透明素材と、
複数の貫通孔を各貫通孔の並びに前記集光素パターンと同じ方向性を持たせて前記各集光素の配列ピッチと異なる配列ピッチで２次元的に配列してなる貫通孔パターンが形成されたシート状または板状の遮光素材からなる貫通孔フィルタとを備え、
前記集光素パターンと前記貫通孔パターンが所定距離を隔てて対向する態様で、前記透明素材と前記貫通孔フィルタが配置されていることを特徴とする装飾表示体。
【請求項２】
前記貫通孔フィルタは、遮光素材の光透過率が３０％以下に設定されている請求項１に記載の装飾表示体。
【請求項３】
前記貫通孔フィルタは、前記透明素材の裏面に貼着されている請求項１または請求項２に記載の装飾表示体。
【請求項４】
前記貫通孔フィルタは、前記透明素材と所定距離を隔てて対向する態様で配置された第２の透明素材の表面又は裏面に貼着されている請求項１または請求項２に記載の装飾表示体
【請求項５】
所定の色で着色された透明なカラーフィルタが前記貫通孔フィルタと対向する態様で配置されている請求項１ないし請求項４のいずれかに記載の装飾表示体。
【請求項６】
前記貫通孔フィルタに対して人工光を照射する光照射装置が設けられている請求項１ないし請求項５のいずれかに記載の装飾表示体。
【発明の詳細な説明】
【技術分野】
【０００１】
本発明は、遊技機やゲーム機の外層パネル、包装箱、広告体、飾り品、ディスプレイ装置、文房具、土産品、構造体、教材等の各種商品の装飾に適用される装飾表示体に関するものである。
【背景技術】
【０００２】
従来より、遊技機やゲーム機の外層パネル、包装箱、広告体、飾り品、ディスプレイ装置、文房具、土産品、構造体、教材等の各種商品の装飾として、図柄の拡大虚像を各種商品の表面から上方または下方に現出させる装飾表示体を適用することが知られており、例えば下記特許文献１〜特許文献５に開示されている。
【０００３】
これらの装飾表示体は、シート状または板状の透明素材の表面に、複数の凸レンズ状の集光素を各集光素の並びに方向性を持たせて所定の配列ピッチで２次元的に配列して集光素パターンが形成されるとともに、上記透明素材の裏面に、着色された複数の画素を各画素の並びに集光素パターンと同じ方向性を持たせて各集光素の配列ピッチと異なる配列ピッチで２次元的に配列して画素パターンが形成され、各集光素と各画素の配列ピッチが異なるように集光素パターンと画素パターンとが形成されることによって、画素パターンによる立体的な図柄の拡大虚像を現出するものである。
【先行技術文献】
【特許文献】
【０００４】
【特許文献１】特許第４９０７０４９号
【特許文献２】特許第３４８８１７９号
【特許文献３】特開２００８−０１２８７０号
【特許文献４】特開２００３−２２６１００号
【特許文献５】特開２００３−２２６０９９号
【発明の概要】
【発明が解決しようとする課題】
【０００５】
しかしながら、従来の装飾表示体は、いずれも画素パターンが印刷によって形成されるものばかりであり、それ以外の方法によって画素パターンが形成されたような装飾表示体が存在していなかった。
【０００６】
本発明は、上述の技術的背景に鑑みてなされたものであって、新規な構成の画素パターンに基づいて画素の拡大虚像を現出させることができ、ひいては趣向性の高い装飾表示体を提供することを目的とする。
【課題を解決するための手段】
【０００７】
本発明は、上記目的を達成するために、複数の凸レンズ状の集光素を各集光素の並びに方向性を持たせて所定の配列ピッチで２次元的に配列してなる集光素パターンが表面に形成されたシート状または板状の透明素材と、複数の貫通孔を各貫通孔の並びに集光素パターンと同じ方向性を持たせて各集光素の配列ピッチと異なる配列ピッチで２次元的に配列してなる貫通孔パターンが形成されたシート状または板状の遮光素材からなる貫通孔フィルタとを備え、集光素パターンと貫通孔パターンが所定距離を隔てて対向する態様で、透明素材と貫通孔フィルタが配置されていることを特徴とする。
【０００８】
これによれば、自然光や人工光等の任意の光が貫通孔フィルタに照射されると、貫通孔パターンの各貫通孔に光が入射し、該光が各貫通孔を通過することによってそれぞれが光画素となされるため、各光画素による光画素パターンが形成される。この光画素パターンは、貫通孔パターンと同じパターンを構成するものであって、光画素を集光素パターンと同じ方向性を持たせて各集光素の配列ピッチと異なる配列ピッチで２次元的に配列してなる。このため、光画素と集光素が重なる部分と位置ずれする部分とが繰り返して生じ、見る位置に制限を受けることなく、揺らぎの少ない静的な状態で、立体的な光画素の拡大虚像が透明素材の手前側または奥側に現出することができる。
【０００９】
また、貫通孔フィルタは、遮光素材の光透過率が３０％以下に設定されているのが好ましい。これによれば、光は貫通孔フィルタの貫通孔をそのまま通過するが、貫通孔以外の遮光部材では３０％以下しか透過しないため、貫通孔を通過した光画素と該光画素の周辺部分との輝度のコントラストが大きくなり、光画素を明確に構成することができる。
【００１０】
また、貫通孔フィルタは、前記透明素材の裏面に貼着されているのが好ましい。これによれば、貫通孔フィルタが透明素材に固定されることとなり、集光素パターンと貫通孔パターンが安定して対向するため、光画素の拡大虚像が簡単かつ確実に現出することができる。
【００１１】
また、貫通孔フィルタは、前記透明素材と所定距離を隔てて対向する態様で配置された第２の透明素材の表面又は裏面に貼着されているものであってもよい。これによれば、貫通孔フィルタを集光素の透明素材と離して配置した場合でも、第２の透明素材の表面又は裏面に貼着されているため、貫通孔フィルタ１２が撓む等の変形を防止することができる。
【００１２】
また、所定の色で着色された透明なカラーフィルタが前記貫通孔フィルタと対向する態様で配置されているのが好ましい。これによれば、光が貫通孔フィルタの貫通孔に通過する前又は後においてカラーフィルタを透過することにより光画素が着色されるため、光画素の拡大虚像を所望の色に着色することができる。
【００１３】
また、貫通孔フィルタに対して人工光を照射する光照射装置が設けられているのが好ましい。これによれば、人工光の照度を強くすることにより光画素の拡大虚像を明確に現出させることができる。また、光照射装置による人工光を点けたり消したりすることによって、光画素の拡大虚像を任意に現出させたり、消失させたりすることができる。
【発明の効果】
【００１４】
本発明によれば、自然光や人工光等の任意の光が貫通孔フィルタに照射されると、貫通孔パターンの各貫通孔に光が入射し、該光が各貫通孔を通過することによってそれぞれが光画素となされるため、各光画素による光画素パターンが形成される。この光画素パターンは、貫通孔パターンと同じパターンを構成するものであって、光画素を集光素パターンと同じ方向性を持たせて各集光素の配列ピッチと異なる配列ピッチで２次元的に配列してなる。このため、光画素と集光素が重なる部分と位置ずれする部分とが繰り返して生じ、見る位置に制限を受けることなく、揺らぎの少ない静的な状態で、立体的な光画素の拡大虚像が透明素材の手前側または奥側に現出することができる。したがって、従来のように単に印刷された画素の拡大虚像を現出させる場合よりも、趣向性の高い装飾効果を奏することが可能となる。
【図面の簡単な説明】
【００１５】
【図１】第１の実施形態に係る装飾表示体の正面図である。
【図２】図１の装飾表示体の背面図である。
【図３】図１の装飾表示体の断面図である。
【図４】図１の装飾表示体の拡大断面図である。
【図５】図１の装飾表示体の集光素と貫通孔の位置関係を示す正面模式図である。
【図６】図１の装飾表示体の断面と拡大虚像を示す図である。
【図７】第２の実施形態に係る装飾表示体の拡大断面図である。
【図８】図７の装飾表示体の集光素と貫通孔の位置関係を示す正面模式図である。
【図９】図７の装飾表示体の断面と拡大虚像を示す図である。
【図１０】第３の実施形態に係る装飾表示体の拡大断面図である。
【図１１】図１０の装飾表示体の（ａ）照射前と（ｂ）照射後の正面図である。
【図１２】第４の実施形態に係る装飾表示体の拡大断面図である。
【図１３】第５の実施形態に係る装飾表示体の拡大断面図である。
【発明を実施するための形態】
【００１６】
＜第１の実施形態＞
次に、本発明に係る装飾表示体の第１の実施形態について図１〜図６を参照しつつ説明する。
【００１７】
本実施形態の装飾表示体１は、図１〜図３に示すように、アクリル板等の合成樹脂からなる板状の透明素材１１と、該透明素材１１の裏面側に配置された貫通孔フィルタ１２とを備えている。また、本装飾表示体１は、貫通孔フィルタ１２側から貫通孔フィルタ１２に向かって人工光を照射する光照射装置１５が設けられている。
【００１８】
前記透明素材１１は、図１に示すように、表面の全体に亘って、無色透明のインキを用いて複数の凸レンズ状の集光素１１１ａを印刷して集光素パターン１１１が形成されている。
【００１９】
この集光素パターン１１１は、図５に示すように、集光素１１１ａを各集光素１１１ａの並びに方向性を持たせて２次元的に配列して形成されており、ｘ方向とこれに直交するｙ方向へ同じ配列ピッチｐで各集光素１１１ａがマトリクス状に等配列して形成されている。
【００２０】
なお、本実施形態では、各集光素１１１ａの直径が０．９ｍｍ、配列ピッチｐが１．０ｍｍに設定されている。また、各集光素１１１ａの配列は、必ずしも直交するパターンである必要はなく、一方の配列方向に対する他方の配列方向が９０度より小さい角度または９０度より大きい角度をなすようにしてもよい。
【００２１】
また、前記透明素材１１は、図４に示すように、所定の厚みｄで形成されている。この厚みｄは、透明素材１１の表面に形成された集光素パターン１１１の集光素１１１ａによって後述の光画素１３１ａによる拡大虚像Ｚ１を現出させる距離に設定されており、集光素１１１ａや光画素１３１ａの大きさや配列ピッチによって適宜設定される。なお、本実施形態では、透明素材１１の厚みｄは２．０ｍｍに設定されている。
【００２２】
前記貫通孔フィルタ１２は、合成樹脂からなるシート状の遮光素材であり、図２〜図４に示すように、接着剤層（図示略）を介して透明素材１１の裏面に貼着されている。この貫通孔フィルタ１２は、全面に亘って、複数の貫通孔１２１ａが穿設されており、該複数の貫通孔１２１ａによって貫通孔パターン１２１が形成されている。なお、本実施形態では、各貫通孔１２１ａの直径が０．９ｍｍに設定されている。
【００２３】
この貫通孔パターン１２１は、図５に示すように、複数の貫通孔１２１ａを各貫通孔１２１ａの並びに集光素パターン１１１と同じ方向性を持たせて２次元的に配列して形成されており、ｘ方向とこれに直交するｙ方向へ各貫通孔１２１ａをマトリクス状に等配列して形成されている。
【００２４】
また、前記貫通孔パターン１２１は、図４および図５に示すように、集光素１１１ａの配列ピッチｐより小さい配列ピッチｑで各貫通孔１２１ａが配列しており、本実施形態では貫通孔１２１ａの配列ピッチｑは０．９５ｍｍに設定されている。
【００２５】
これにより、ｘ−ｙ平面の各方向について、複数個おきに集光素１１１ａと貫通孔１２１ａが完全に重なる部分と、その周囲の貫通孔１２１ａが集光素１１１ａから順次内側に位置ずれする部分とが繰り返し生じるようになっている。
【００２６】
また、この貫通孔フィルタ１２は、遮光素材の光透過率が０％に設定されている。ここにいう光透過率とは、貫通孔フィルタ１２における貫通孔１２１ａを除く遮光素材自体を透過する光（光束発散度）の割合のことである。これにより、貫通孔フィルタ１２に光が照射された際、各貫通孔１２１ａでは光が通過することにより後述の光画素１３１ａが構成されるが、遮光素材自体では光が透過しないため、光画素１３１ａと該光画素１３１ａの周辺とにおける輝度のコントラストが非常に大きくなり、光画素１３１ａを明確に構成することができる。
【００２７】
前記光照射装置１５は、貫通孔フィルタ１２の表面から所定距離を隔てて配置されており、貫通孔フィルタ１２の表面に対して光（人工光）を照射する。この光照射装置１５は、貫通孔フィルタ１２の表面全体に対して光を略直交して照射し得るように設定されている。そして、この光照射装置１５は、少なくとも周辺の環境より（例えば自然光より）明るい光を照射するように設定されており、このため貫通孔１２１ａを通過した光によって明確な光画素１３１ａを構成することができる。また、光照射装置１５は、図示略のスイッチが設けられており、該スイッチのＯＮ／ＯＦＦを切り替えることによって光を点けたり消したりすることができる。
【００２８】
而して、図６に示すように、光照射装置１５を用いて、貫通孔フィルタ１２側から光が照射されると、貫通孔パターン１２１を形成する各貫通孔１２１ａに光が入射し、透明素材１１側に光が通過することによって、図４に示すように、各貫通孔１２１ａの出口付近でそれぞれ光画素１３１ａが構成され、各光画素１３１ａによる光画素パターン１３１が形成される。この光画素パターン１３１は、貫通孔パターン１２１と同じパターンを構成するものであって、光画素１３１ａを集光素パターン１１１と同じ方向性を持たせて各集光素１１１ａの配列ピッチｐと異なる配列ピッチｑで２次元的に配列してなる。このため、ｘ−ｙ平面の各方向について、光画素１３１ａと集光素１１１ａが重なる部分と位置ずれする部分とが繰り返して生じるため、見る位置に制限を受けることなく、揺らぎの少ない静的な状態で、立体的な光画素１３１ａの拡大虚像Ｚ１が現出することができる。
【００２９】
また、本実施形態では、各貫通孔１２１ａ（光画素１３１ａ）の配列ピッチｑが、各集光素１１１ａの配列ピッチｐよりも小さく設定されているため、各光画素１３１ａの拡大虚像Ｚ１は透明素材１１の奥側（透明素材１１における集光素１１１ａと反対側）に現出する。
【００３０】
以上の本装飾表示体１によれば、光を利用して形成された新規な構成の光画素パターン１３１に基づいて光画素１３１ａの拡大虚像Ｚ１を現出させることができる。
【００３１】
また、貫通孔フィルタ１２が透明素材１１の裏面に貼着されていることより、貫通孔フィルタ１２が透明素材１１に固定されて、集光素パターン１１１と貫通孔パターン１２１が安定して対向するため、光画素１３１ａの拡大虚像Ｚ１を簡単かつ確実に現出することができる。
【００３２】
さらに、光照射装置１５の人工光の照度を強くすることにより光画素１３１ａの拡大虚像Ｚ１を明確に現出させることができる。また、光照射装置１５による人工光を点けたり消したりすることによって、光画素１３１ａの拡大虚像Ｚ１を任意に現出させたり、消失させたりすることができる。
【００３３】
＜第２の実施形態＞
次に、本発明に係る装飾表示体の第２の実施形態について図７〜図９を参照しつつ説明する。なお、以下では、上記の実施形態と異なる構成についてのみ説明することとし、同一の構成については説明を省略して同一の符号を付すこととする。
【００３４】
本実施形態の装飾表示体２は、図７に示すように、貫通孔フィルタ２２において、貫通孔パターン２２１を形成する各貫通孔２２１ａが集光素１１１ａの配列ピッチｐより大きい配列ピッチｑ’で配列しており、ここでの貫通孔２２１ａの配列ピッチｑ’は１．０５ｍｍに設定されている。このため、図８に示すように、ｘ−ｙ平面の各方向について、複数個おきに集光素１１１ａと貫通孔２２１ａが完全に重なる部分と、その周囲の貫通孔２２１ａが集光素１１１ａから順次外側に位置ずれする部分とが繰り返し生じている。
【００３５】
而して、光照射装置１５を用いて、貫通孔フィルタ２２側から光が照射されると、図７に示すように、光画素２３１ａが各貫通孔２２１ａごとに生じる。これにより、光画素２３１ａによる光画素パターン２３１が形成されるため、見る位置に制限を受けることなく、揺らぎの少ない静的な状態で、立体的な光画素２３１ａの拡大虚像Ｚ２が現出する。なお、本実施形態では、各貫通孔２２１ａ（光画素２３１ａ）の配列ピッチｑ’が各集光素１１１ａの配列ピッチｐよりも大きく設定されているため、各光画素２３１ａの拡大虚像Ｚ２を、透明素材１１の手前側（透明素材１１における集光素１１１ａ側）に現出させることができる。
【００３６】
＜第３の実施形態＞
次に、本発明に係る装飾表示体の第３の実施形態について図１０および図１１を参照しつつ説明する。
【００３７】
本実施形態の装飾表示体３は、図１０に示すように、シート状の透明なカラーフィルタ１４が貫通孔フィルタ１２の表面に貼着されている。このカラーフィルタ１４は、図１１に示すように、縦２×横２の領域Ｓ１〜Ｓ４に区分けされ、領域Ｓ１では無色、領域Ｓ２では緑色、領域Ｓ３では青色、領域Ｓ４では赤色に着色されている。
【００３８】
この装飾表示体３によれば、カラーフィルタ１４を透過した光が着色されて光画素１３１ａとなるため、領域Ｓ１では無色、領域Ｓ２では緑色、領域Ｓ３では青色、領域Ｓ４では赤色と、それぞれの領域に対応させて光画素１３１ａの拡大虚像Ｚ３を着色することができる。
【００３９】
例えば、図１１（ａ）に示すように、光照射装置１５による人工光の照射前では光画素１３１ａの拡大虚像Ｚ３の輝度が低いため、光画素１３１ａの拡大虚像Ｚ３がほぼ現出していない（若干現出しているのは自然光によるものである）。一方、図１１（ｂ）に示すように、光照射装置１５による人工光の照射後では光画素１３１ａの拡大虚像Ｚ３の輝度が向上するため、光画素１３１ａの拡大虚像Ｚ３を明確に現出させることができる。しかも、カラーフィルタ１４によって光画素１３１ａの拡大虚像Ｚ３が着色されてため、光画素１３１ａの拡大虚像Ｚ３における各色を鮮やかに表現することが可能になる。
【００４０】
なお、本実施形態では、カラーフィルタ１４が縦２×横２の領域Ｓ１〜Ｓ４に区分けされている場合について説明したが、領域の区分けの数、形状、広さ、色は任意でよい。
【００４１】
また、カラーフィルタ１４が貫通孔フィルタ１２と所定距離を隔てて配置されていてもよい。
【００４２】
＜第４の実施形態＞
次に、本発明に係る装飾表示体の第４の実施形態について図１２を参照しつつ説明する。
【００４３】
本実施形態の装飾表示体４は、図１２に示すように、厚みｄの透明素材１１の裏面に対して所定距離ｒを隔てて貫通孔フィルタ１２が平行に対向する態様で配置されている。
【００４４】
このように、透明素材１１と貫通孔フィルタ１２間に所定距離ｒを隔てて構成した場合でも、貫通孔フィルタ１２の各貫通孔１２１ａに入射した光が透明素材１１側に通過することによって光画素１３１ａとなされ、各光画素１３１ａによる光画素パターン１３１が形成されるため、見る位置に制限を受けることなく、揺らぎの少ない静的な状態で、立体的な光画素１３１ａの拡大虚像を現出させることができる。
【００４５】
＜第５の実施形態＞
次に、本発明に係る装飾表示体の第５の実施形態について図１３を参照しつつ説明する。
【００４６】
本実施形態の装飾表示体５は、図１３に示すように、両面が平坦状に形成された厚みｄの第２の透明素材２１が透明素材１１の裏面側に所定距離ｒ’を隔てて配置され、該第２の透明素材２１の表面に貫通孔フィルタ１２が貼着されている。
【００４７】
このように、透明素材１１と貫通孔フィルタ１２間に透明素材２１を介在させながら所定距離ｒ’を隔てて構成した場合でも、貫通孔フィルタ１２の各貫通孔１２１ａに入射した光が透明素材１１側に通過することによって光画素１３１ａとなされ、各光画素１３１ａによる光画素パターン１３１が形成されるため、見る位置に制限を受けることなく、揺らぎの少ない静的な状態で、立体的な光画素１３１ａの拡大虚像を現出させることができる。しかも、貫通孔フィルタ１２が透明素材２１に貼着されているため、貫通孔フィルタ１２が撓む等の変形を防止することができる。
【００４８】
なお、本実施形態では、貫通孔フィルタ１２が透明素材２１の表面（図１３の左側の面）に貼着されている場合について説明したが、透明素材２１の裏面（図１３の右側の面）に貼着されてもよい。
【００４９】
また、透明素材２１が厚みが透明素材１１の厚みと同一のｄである場合について説明したが、同一でなくてもよい。
【００５０】
また、上記の各実施形態では、貫通孔フィルタ１２，２２がシート状である場合について説明したが、板状であってもよい。
【００５１】
また、透明素材１１が板状である場合について説明したが、シート状であってもよい。
【００５２】
また、貫通孔フィルタ１２として、光透過率が０％の遮光素材を使用する場合について説明したが、光透過率が０％を越える遮光素材を使用してもよい。但し、貫通フィルタ１２の貫通孔１２１ａ，２２１ａを通過して構成される光画素１３１ａ，２３１ａと該光画素１３１ａ，２３１ａの周辺との輝度のコントラストを大きくするためには、貫通孔フィルタ１２の遮光素材の光透過率が３０％以下、好ましくは２０％以下、さらに好ましくは１０％以下に設定されているのがよい。
【００５３】
また、集光素１１１ａおよび貫通孔１２１ａ，２２１ａ（光画素１３１ａ，２３１ａ）が円形状としたが、その他の形状であってもよい。
【００５４】
また、集光素１１１ａを印刷により形成するものとしたが、エンボス加工等のその他の方法により形成してもよい。
【００５５】
また、各集光素１１１ａの配列ピッチｐが１．０ｍｍ、貫通孔１２１ａ，２２１ａ（光画素１３１ａ，２３１ａ）の配列ピッチｑが０．９５ｍｍ、配列ピッチｑ’が１．０５ｍｍである場合について説明したが、その他の配列ピッチであってもよい。但し、光画素の拡大虚像を確実に現出させるために、集光素の配列ピッチは０．３０〜２．０ｍｍ、貫通孔の配列ピッチは０．２０〜２．２ｍｍの範囲内で、集光素と貫通孔の配列ピッチの差異は±２０％程度の範囲内で設定されるのが好ましい。
【００５６】
また、各集光素１１１ａの配列ピッチｐおよび貫通孔１２１ａ，２２１ａ（光画素１３１ａ，２３１ａ）の配列ピッチｑ，ｑ’が、いずれも一定である場合について説明したが、いずれも配列ピッチが変化するようにしてもよいし、いずれか一方の配列ピッチが一定で他方の配列ピッチが変化するようにしてもよい。
【００５７】
また、集光素１１１ａおよび貫通孔１２１ａ，２２１ａ（光画素１３１ａ，２３１ａ）の直径が１．０ｍｍに設定されている場合について説明したが、その他の直径であってもよい。但し、光画素の拡大虚像を確実に現出させるために、集光素と貫通孔の直径は０．１０〜２．５ｍｍの範囲内で設定されるのが好ましい。
【００５８】
また、集光素１１１ａおよび貫通孔１２１ａ，２２１ａ（光画素１３１ａ，２３１ａ）の直径が同一である場合について説明したが、同一でなくてもよい。
【００５９】
また、透明素材１１の厚みは２．０ｍｍに設定されている場合について説明したが、２．０ｍｍでなくてもよい。なお、この透明素材１１の厚みｄは、集光素１１１ａや貫通孔１２１ａ，２２１ａ（光画素１３１ａ，２３１ａ）の大きさや配列ピッチによって適宜設定されるものである。例えば、集光素１１１ａおよび貫通孔１２１ａ，２２１ａ（光画素１３１ａ，２３１ａ）の画素径が０．１０〜２．０ｍｍ、配列ピッチが０．１１〜２．２ｍｍの場合、厚みｄは０．１０〜２０ｍｍ、さらに好ましくは０．４０〜１０ｍｍに設定されるのが好ましい。
【００６０】
また、貫通孔パターン１２１，２２１が貫通孔フィルタ１２，２２の表面の全体に亘って形成されている場合について説明したが、一部であってもよい。
【００６１】
また、光画素１３１ａ，２３１ａの形成に際して光照射装置１５等による人工光を利用する場合について説明したが、自然光であってもよい。
【００６２】
また、各図面に示した集光素１１１ａおよび貫通孔１２１ａ，２２１ａ（光画素１３１ａ，２３１ａ）の大きさ、配列ピッチなどは、説明の便宜上、強調的に大きく図示したものであり、実際には非常に小さい集光素１１１ａおよび貫通孔１２１ａ，２２１ａ（光画素１３１ａ，２３１ａ）が２次元的に数多く配列されたものである
【００６３】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６４】
１〜５…装飾表示体
１１，２１…透明素材
１１１…集光素パターン
１１１ａ…集光素
１２，２２…貫通孔フィルタ
１２１，２２１…貫通孔パターン
１２１ａ，２２１ａ…貫通孔
１３１，２３１…光画素パターン
１３１ａ，２３１ａ…光画素
１４…カラーフィルタ  
１５…光照射装置  
【図１】
2014014987.tif 000003
【図２】
2014014987.tif 000004
【図３】
2014014987.tif 000005
【図４】
2014014987.tif 000006
【図５】
2014014987.tif 000007
【図６】
2014014987.tif 000008
【図７】
2014014987.tif 000009
【図８】
2014014987.tif 000010
【図９】
2014014987.tif 000011
【図１０】
2014014987.tif 000012
【図１１】
2014014987.tif 000013
【図１２】
2014014987.tif 000014
【図１３】
2014014987.tif 000015